Podtech/llm-jp-corpus-v4-ja_patent huggingface dataset:
(57)【要約】      （修正有）【課題】経穴暗記カードに経穴の位置を示す画像や個々の経穴の所属する経絡ごとの色をつけ、視覚的・直感的に暗記することを助ける学習用教材を提供する。【解決手段】経穴暗記カードの片面に個々の経穴の所属する経絡ごとの色分け１、経絡名２、経穴の特徴３、経穴の名称４、経穴名のふりがな５、世界保健機関（ＷＨＯ）による標準用語・中国語読み（ピンイン）と記号番号６、骨格・体表画像７、ツボの位置８、インデックス９を記載することにより、経穴の名称のみでなく、その位置、相互関係などについて直感的に、映像的に暗記することを助ける。【選択図】図１
0003117174.tif 000002
【実用新案登録請求の範囲】
【請求項１】
複数枚のカード片を有する。各カード片の表面に経穴（ツボ）の名称を文字で、また個々の経穴（ツボ）ごとに骨格・体表指標など最適な画像表現を記載し、経穴（ツボ）の位置と名称を同時に暗記することができる。裏面に経穴（ツボ）の部位・筋肉・運動神経・知覚神経・血管を文字で表示した経穴（ツボ）暗記カード。
【請求項２】
請求項１に記載の経穴（ツボ）暗記カードにおいて、世界保健機関（ＷＨＯ）による標準用語・中国語読み（ピンイン）と記号番号、ツボの特徴を表示したことを特徴とする経穴（ツボ）暗記カード。
【請求項３】
請求項１に記載の経穴（ツボ）暗記カードにおいて、経穴（ツボ）の所属する経絡（グループ）別に色分けし、分類しやすいようにインデックスをつけた経穴（ツボ）暗記カード。
【考案の詳細な説明】
【技術分野】
【０００１】  本考案は、画像表現と色分けインデックスをつけた経穴（ツボ）暗記カードに関するものである。
【背景技術】
【０００２】これまで発売された経穴（ツボ）暗記カードは、単色で、文字のみによって構成されたものであった。
【考案の開示】
【考案が解決しようとする課題】
【０００３】はり師・きゅう師の資格を取得するためには、人体に分布する３８０あまりの経穴（ツボ）の名称・位置・特色および個々の経穴（ツボ）が所属する経絡（グループ）を暗記しなければならない。これらを色で分類し、適切な画像を添付することで、複数の項目を同時に、関連づけて、直感的に暗記する助けにしようとするものである。
【課題を解決するための手段】
【０００４】画像表現や経絡（グループ）別の色分けなど視覚効果を駆使した。
【考案の効果】
【０００５】画像表現と色分けによって、経絡（グループ）と経穴（ツボ）の関係や位置を把握しつつ、より直感的に暗記することができる。
【考案を実施するための最良の形態】
【０００６】ひとつあるいは複数の経穴（ツボ）に対して１片の、持ち運びが簡便なサイズで適度な厚みのカードを、必要な枚数セットにし、金属環などで繋げるための穴を開けた暗記カード。
【実施例】
【０００７】以下、図面に従って実施例を説明する。図１は経穴（ツボ）暗記カードセットを構成する紙片のうち１枚の表面である。【０００８】図１に示すように、各カードの表面左端は個々の経穴（ツボ）が所属する経絡（グループ）別に帯状に色分けされている（１）。カードの左半面の最上部には個々の経穴（ツボ）が所属する経絡（グループ）（２）、その下に個々の経穴（ツボ）の特徴（３）、その下に経穴（ツボ）名（４）とふりがな（５）、その下に世界保健機関（ＷＨＯ）による標準用語・中国語読み（ピンイン）と記号番号（６）を記載、さらに右半面には個々の経穴（ツボ）の位置を適切に表現するための骨格・体表画像（７）が描かれ、経穴（ツボ）の位置（８）が示されている。カード右端には経絡（グループ）別に色分けしたインデックス（９）がつけられている。【０００９】また、図２に示すように、各カードの裏面には個々の経穴（ツボ）の取穴部位・筋肉・運動神経・知覚神経・血管・世界保健機関（ＷＨＯ）による記号番号を文字で表示（１０）した。【００１０】なお、各カードの表面の左上部および裏面の右上部に設けられた小さな丸印（１１）は、金属環などを通す孔である。
【図面の簡単な説明】
【００１１】
【図１】本考案の経穴（ツボ）暗記カードの実施例を示す表面図である。
【図２】本考案の経穴（ツボ）暗記カードの実施例を示す裏面図である。
【符号の説明】
【００１２】  １  経絡（グループ）別色分け
２  経絡（グループ）名
３  個々の経穴（ツボ）の特徴
４  経穴（ツボ）名
５  経穴（ツボ）名のふりがな
６  世界保健機関（ＷＨＯ）による標準用語・中国語読み（ピンイン）と記号番号
７  骨格又は体表画像
８  経穴（ツボ）ツボの位置
９  インデックス
１０  経穴（ツボ）の取穴部位・筋肉・運動神経・知覚神経・血管・世界保健機関（ＷＨＯ）による記号番号
１１  金属環などを通す孔
【図１】
0003117174.tif 000003
【図２】
0003117174.tif 000004
【手続補正書】
【提出日】平成17年3月9日(2005.3.9)
【手続補正１】
【補正対象書類名】実用新案登録請求の範囲
【補正対象項目名】実用新案登録請求の範囲の全文
【補正方法】変更
【補正の内容】
【実用新案登録請求の範囲】
【請求項１】
複数枚のカード片において、
１．各カード片の表面に経穴（ツボ）の名称を文字で記載し、
２．経穴（ツボ）の位置を表現する骨格又は体表指標など最適な画像表現を記載し、
３．裏面に経穴（ツボ）の部位・筋肉・運動神経・知覚神経・血管を文字で表示して、経穴（ツボ）の位置と名称を同時に暗記することができる経穴（ツボ）暗記カード。
【請求項２】
請求項１に記載の経穴（ツボ）暗記カードにおいて、世界保健機関（ＷＨＯ）による標準用語・中国語読み（ピンイン）と記号番号、ツボの特徴を表示したことを特徴とする経穴（ツボ）暗記カード。
【請求項３】
請求項１に記載の経穴（ツボ）暗記カードにおいて、経穴（ツボ）の所属する経絡（グループ）別に色分けし、分類しやすいようにインデックスをつけた経穴（ツボ）暗記カード。
(57)【要約】      （修正有）【課題】この考案は、和装草履を履きつけていない女性が草履を着用する際に「はな緒ズレ」（創傷）を生じやすいので、はな緒を極太にすることによりこれを防止し草履着用の抵抗感をなくし、併せて履物のフアション性を高めようとするものである。【解決手段】「はな緒ズレ」（創傷）防止のため、「はな緒」の皮膚接触面（１）を幅広くし、かつ柔軟性のある生地を使用する。草履のはな緒挿げ穴の直径は固定しているので、広幅はな緒を挿入するためには、はな緒の「芯」素材（２）を工夫する。【選択図】図１
0003117177.tif 000002
【実用新案登録請求の範囲】
【請求項１】
（イ）和装草履台に装着する広幅の極太はなお（１）。
（ロ）極太はなお（１）の芯（２）。
【請求項２】
（イ）極太はなお表地（１）を利用したデザインスペースの創出（３）。
【考案の詳細な説明】
【考案の詳細な説明】
【技術分野】
【０００１】  本考案の極太はなおを草履台に装着するには、草履台の両側のはな緒の挿げ穴を大きくすれば足りるが、それでは装着後の草履台の強度に難点を残す。はな緒の芯素材を工夫することで、草履台は従来のままで極太はなおを装着することができる。極太はなおの表地は、堅牢性の生地（例、帯地）、極太はなおの裏地（足の皮膚接触面）は柔軟性に富んだ生地を使用し「はな緒ズレ」（創傷）を防止する。
【背景技術】
【０００２】  従来のはな緒は、芯に紙やダンボールを使用していたため、堅くて足になじみにくく、細いため、下駄や草履を履いた経験が少ない女性は、足の親指の股、甲から側面にかけて「はな緒ズレ」（創傷）をし易い欠点がある。
また、無地系でファション性に乏しい。
【考案が解決しようとする課題】
【０００３】  本考案は、はな緒を太く広げることにより、皮膚とはな緒の接触面を広くすること、はな緒の芯を柔らかで弾力性のあるポリエチレン系の素材を使用することで「はな緒ズレ」をなくし、サンダル感覚の使用感を実現しようとするものである。
また、はな緒の広幅化によりファション性を高めようとするものである。「地味な足元」から、軽やかで「ファショナブルな足元」への転換を可能とする。
【課題を解決しようとする手段】
【０００４】  「はな緒ズレ」（創傷）をなくすためには、皮膚接触部分の裏地は柔らかい布地を使用し、はな緒の芯に弾力性のあるポリエチレン系発泡シートを素材として使用する。これにより固さを解消し、足へのなじみ感（フイット）とはな緒ズレを防止する。表地はデザイン性に富んだ堅い目の生地を使用し、芯素材の形状維持機能と相俟って極太はなおの型崩れを防止する。
【考案を実施するための最良の形態】
【０００５】  本考案の極太はな緒は、全ての草履台に装着できる汎用性がなければ普及しないので、その使用方法、装着方法（挿げ方）は従来とかわらない。
【考案の効果】
【０００６】  使用上の効果では、「はな緒ズレ」を防止し、サンダル感覚での使用感を実現し、市場性では和装足元のファション性を高める効果がある。
【図面の簡単な説明】
【図１】  本考案の正面図
【図２】  はな緒の展開図
【図３】  芯素材（ポリエチレン系発泡シート）
【図１】
0003117177.tif 000003
【図２】
0003117177.tif 000004
【図３】
0003117177.tif 000005
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
・表地はデザイン性に富んだ堅い目の生地、裏地は柔かい布地を用い、芯にはポリエチレン系発泡シートを使用した幅の極めて広いはなお。
(57)【要約】      （修正有）【課題】雨による地盤の変化、車の加重などにより敷石が凸凹になるのを防止できるボルト止め連続敷石を提供する。【解決手段】コンクリート、金属、プラスチックなどの材質でできた敷石の中央を四角形にくり抜き、各辺に穴をあけ、ボルトによって連結し全体の荷重を平均化する。【選択図】図２
0003117176.tif 000002
【実用新案登録請求の範囲】
範囲
コンクリート、金属、プラスチシクなどの材質でできた敷石をボートによって連結した敷石
【考案の詳細な説明】
名称  ボート止め連結敷石
（０００１）
課題
今までの敷石は雨による地盤の変化、車の加重などで凸凹になった
（０００２）
手段
敷石をボートによって連結する
（０００３）
効果
ボートによって凸凹にならなくたった
図面の簡単な説明
図１  敷石の単体とボートの斜視図
図２  ３つの敷石をボートによって連結した斜視図
【図１】
0003117176.tif 000003
【図２】
0003117176.tif 000004
【手続補正書】
【提出日】平成17年5月23日(2005.5.23)
【手続補正１】
【補正対象書類名】明細書
【補正対象項目名】全文
【補正方法】変更
【補正の内容】
【考案の詳細な説明】
【課題】
【０００１】  今までの敷石は雨などによる地盤の変化車の加重などで凸凹になった
【０００２】
【手段】
【０００３】  敷石をボートによって連結する
【効果】
【０００４】  ボートによって凸凹にならなくなった
【図面の簡単な説明】
【図１】敷石の単体とボートの斜視図
【図２】３つの敷石をボートによって連結した斜視図
【手続補正２】
【補正対象書類名】実用新案登録請求の範囲
【補正対象項目名】全文
【補正方法】変更
【補正の内容】
【実用新案登録請求の範囲】
【請求項１】
コンクリート、金属、プラスチックなどの材質でできた敷石をボートによって連結した敷  石
(57)【要約】【課題】      マウス操作の向上。【解決手段】マウスの側面にホイールを付け横スクロール等もできるようにする事によりマウスの使い勝手を向上させる。【実用新案登録請求の範囲】
【請求項１】
側面にホイールを付けたマウス。
【考案の詳細な説明】
【技術分野】
【０００１】本考案は、マウスの側面にホイールを付け横スクロール等もできるようにする事によりマウスの使い勝手を向上させるものである。
【背景技術】
【０００２】マウスの側面にホイールがなかったために横スクロール等に不便があった。
【考案が解決しようとする課題】
【０００３】マウスの側面にホイールを付け横スクロール等できるようにする事により、マウスの使い勝手を向上させる。
【課題を解決するための手段】
【０００４】マウスの側面に縦スクロールで使用するホイールを付ける事により横スクロール、縦横の組み合わせで画像の拡大等できるようにする。
【考案を実施するための最良の形態】
【０００５】本発明を図面について説明すれば、マウスの側面にホイールを付け（図１−１）横スクロールできるようにする事により、マウスの使い勝手を向上させるものである。
【考案の効果】
本発明は、マウスの側面にホイールを付け横スクロールできるようにする事により、縦横の組み合わせで画像の拡大等できるようになり、マウスの使い勝手を向上させる。
【図面の簡単な説明】
【図１】側面にホイールを付けたマウス
【符号の説明】
１  横ホイール
２  ボールを入れる穴
【図１】
0003117173.tif 000002
(57)【要約】      （修正有）【課題】冬季の降雪時に車両の外気側のフロントガラスに付着した雪をワイパーが払いのけた時、雪の一部が圧雪されフロントガラス下部に溜まってしまう雪、氷結した氷を温風で溶かす装置を提供する。【解決手段】フロントガラス下部とボンネット内の後方の位置に小型の熱交換器（ラジエター）を設置し、そこヘエンジンの冷却水（約９２℃前後）を通しブロワーファンで温風を発生させ、外気側のガラス面にそって、圧雪箇所及びその周辺に吹き付け雪や氷を溶かす。また、室内の暖房機（ヒーター）で発生させた温風を外気側のフロントガラス下部まで導き、ガラス面にそって上方へ吹き付ける。又、熱源としてビスカス式ヒーターを用いて温風を発生させ、圧雪箇所及びその周辺に吹き付け雪や氷を溶かし、安全運転、安全運行に寄与する。【選択図】図２
0003117178.tif 000002
【実用新案登録請求の範囲】
【請求項１】
車両（乗用車、商用車、貨物自動車、作業用車両等を含む）の外気側のフロントガラス下部から上方に向けて温風を吹き付けて圧雪した雪や氷結した氷を溶かす機構装置。
【請求項２】
雪や氷を溶かす方法は温風（１０〜９８℃）を使用する。
【請求項３】
温風の熱源はエンジンの冷却水、室内のヒーター、電熱線、ビスカス式ヒーター等とする。
【考案の詳細な説明】
【技術分野】
【０００１】本考案は、冬季の降雪時に車両の外気側のフロントガラスに付着した雪をワイパーが払いのけた時、降雪してきた雪の一部が圧雪されフロントガラス下部に溜まってしまった雪を温風で溶かすため技術に関する。
【背景技術】
【０００２】降雪時、視界の妨げとなる圧雪された雪や氷を通り除き、安全で快適な運転を可能とする装置がなかった。
【考案の開示】
【考案が解決しようとする課題】
【０００３】特にボンネット式車両の場合、ワイパーブレードによって外気側フロントガラス下部とボンネット部の間に圧雪された雪で段々と視界が狭められてくる。
また、寒冷地においてはフロントガラスの表面氷結により、安全運転を妨げていた問題がある。
本考案は、この問題を解消するためになされたものである。
【課題を解決するための手段】
【０００４】フロントガラス下部とボンネット内の後方の位置に小型の熱交換器（ラジエター）を設置し、そこへエンジンの冷却水（約９２℃前後）を通しブロワーファンで温風を発生させ、外気側のガラス面にそって、圧雪箇所及びその周辺に吹き付け雪や氷を溶かす。また、室内の暖房機（ヒーター）で発生させた温風を外気側のフロントガラス下部まで導き、ガラス面にそって上方へ吹き付ける。
又、熱源としてビスカス式ヒーターや電熱器等を用いて温風を発生させ、圧雪箇所及びその周辺に吹き付け雪や氷を溶かす
【考案の効果】
【０００５】フロントガラスの前方視界を確保し安全運転・安全運行に役立つ。
【考案を実施するための最良の形態】
【０００６】フロントガラス下部のエンジンルーム内にラジエター（熱交換器）とブロワーファンを設置し、エンジン冷却に供した冷却水を本熱交換器（ラジエター）を通し温風を発生させ、通風管を通し、温風が圧雪部を中心にうまく拡散する形状のノズルから吹き付けられるようにする。  尚、ノズルの先端は雪でふさがりにくい形状とする。
【図面の簡単な説明】
【図１】雪が圧雪され、視界不良になる箇所を示した。
【図２】融雪用熱交換器（ラジエター）とブロワーファンユニットと温風の吹き出し位置関係を示した。
【図１】
0003117178.tif 000003
【図２】
0003117178.tif 000004
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
車両（乗用車、商用車、貨物自動車、作業用車両等を含む）の外気側のフロントガラス下部から上方に向けて温風を吹き付けて圧雪した雪や氷結した氷を溶かす機構装置。
【請求項２】
雪や氷を溶かす方法として、１０〜９８℃の温風を使用する請求項１記載の機械装置。
【請求項３】
温風の熱源はエンジンの冷却水、室内のヒーター、電熱線、ビスカス式ヒーター等とする請求項１又は２記載の機構装置。
(57)【要約】【課題】    ブラシでは取ることのできない、軽くつまんで引っ張れば抜ける毛を、取り除けるようにする。【解決手段】    可動する板１と板２とで、ペットの毛の束７を挟み、そのまま引っ張ることによって、抜け毛や軽くつまんで引っぱれば抜ける毛を、取り除けるようにした。【選択図】  図２
0003117172.tif 000002
【実用新案登録請求の範囲】
【請求項１】
バネ５により、開いた状態の板１と板２を、押し部分３を押すことにより、ペットの毛の束７を挟み、そのまま引っ張ることにより、ペットの抜け毛を取り除く器具。
【考案の詳細な説明】
【技術分野】
【０００１】  本考案は、２種類の板をペットの毛の中に差し込み、その板を可動させ、板と板の間にペットの毛を挟み、そのまま引っ張ることによって、抜け毛や間もなく抜ける毛を取り除くための器具である。
【背景技術】
【０００２】  従来は，毛をブラシですく事しかできず、軽く引っ張れば抜ける毛までは、取り除く事が出来なかった。【０００３】
【特許文献１】      特許公開２００４−８９６６１（ペット用櫛）
【０００４】
【特許文献２】      登録実用新案第３００９４５１号（ペット用ブラシ）
【考案の開示】
【考案が解決しようとする課題】
【０００５】  従来は、毛をブラシですく事しかできず、軽くつまんで引っ張れば抜ける毛までは、取り除く事が出来ない問題点を有していた。
【課題を解決するための手段】
【０００６】  上記目的を達成するために、可動する板と板とでペットの毛の束を挟み、そのまま引っ張ることによって、抜け毛や軽くつまんで引っ張れば抜ける毛を、取り除けるようにした。
【考案の効果】
【０００７】  今まで、ブラシでは取れなかった、軽くつまんで引っ張れば抜ける毛を、取り除くことができるようにした。
【考案を実施するための最良の形態】
【０００８】  本考案は、ペットの抜け毛を片手で清潔に取り除け、かつ、挟む力加減を自己で調節できる抜け毛取り器具である。それを図面について説明すれば、板１と板２の連続したものをもうけ、バネ５により、板１と板２を広げた状態にする。板１が平行移動するために、平行移動用でっぱり４と平行移動用みぞ６をもうける。さらにバネ５方向へ板１を押すのに、押し部品３を取り付ける。
【図面の簡単な説明】
【図１】抜け毛取り器具本体の斜視図である。
【図２】考案部分の詳細斜視図である。
【図３】２種類の板がペットの毛を挟む前のようすを表した、断面図である。
【図４】２種類の板がペットの毛を挟んだようすを表した、断面図である。
【符号の説明】
１    板
２    板
３    押し部分
４    平行移動用でっぱり
５    バネ
６    平行移動用みぞ
７    ペットの毛の束
【図１】
0003117172.tif 000003
【図２】
0003117172.tif 000004
【図３】
0003117172.tif 000005
【図４】
0003117172.tif 000006
【手続補正書】
【提出日】平成16年11月11日(2004.11.11)
【手続補正１】
【補正対象書類名】実用新案登録請求の範囲
【補正対象項目名】全文
【補正方法】変更
【補正の内容】
【実用新案登録請求の範囲】
【請求項１】
平櫛形状で櫛の先の部分同士が密着するようにした板１と板２を横に平行移動するのに平行移動用でっぱり４と平行移動用みぞ６を設け、板１と板２を等間隔に広げるのにバネ５を取り付けし、押し部分３を押すことにより板１と板２を密着させてペットの毛をはさむペットの抜け毛を取り除く器具。
(57)【要約】【課題】汎用コンピュータを使用することにより、安価に表示内容が変更可能な電子看板を構成すること。【解決手段】別のコンピュータにインストールされた編集ソフトウェア１により編集した宣伝データを、オペレーテングシステムが入ったＣＤ−ＲＯＭ２にコピーする。そのＣＤ−ＲＯＭ２をＣＤ−ＲＯＭドライブ可動式汎用コンピュータ４のＣＤ−ＲＯＭドライブ３に挿入し、電源スイッチ６を入れることにより宣伝内容が表示用液晶画面から表示される。【選択図】図１
0003117185.tif 000002
【実用新案登録請求の範囲】
【請求項１】
（１）任意の画像、文字や図形を表示し、必要に応じて画面を連続表示して宣伝することを目的とした、一枚のＣＤ−ＲＯＭで稼動する汎用コンピュータから成る液晶電子看板。
【考案の詳細な説明】
【技術分野】
【０００１】従来の電子看板は、専用のハードウェアを使用し色付き文字や図形を表示させていたが、ＣＤ−ＲＯＭ一枚で稼動する汎用コンピュータを使用した電子看板は存在しなかった。
【背景技術】
【０００２】専用ハードウェアを使用する従来の電子看板では、大量生産に向かず、自ら製造コストが嵩むという欠点がある。【０００３】従来の電子看板の表示内容を変更する場合は、ハードウェアによる制限を受けるので、文字一つ変更を変更しようとする場合でも、ハードウェアを変更しなければならない場合がほとんどである。
【考案の開示】
【考案の実施するための最良の形態】
【０００４】本考案は、ＣＤ−ＲＯＭドライブ稼動式汎用コンピュータのＣＤ−ＲＯＭドライブに、オペレーテングシステム及び別の汎用コンピュータにインストールされた汎用ソフトで作成したデータが入ったＣＤ−ＲＯＭを挿入し、電源を入れるだけで汎用コンピュータを液晶電子看板として使用可能とすることを特徴としている。
【実施例】
【０００５】図１は、ＣＤ−ＲＯＭドライブ稼動式汎用コンピュータを用いた液晶電子看板の実施例である。別の汎用コンピュータにインストールされた編集ソフトウェア１を使用して画像データや図形、文字データを作成し、オペレーテングシステムが入ったＣＤ−ＲＯＭ２にコピーする。そのＣＤ−ＲＯＭ２をＣＤ−ＲＯＭドライブ稼動式汎用コンピュータ４のＣＤ−ＲＯＭドライブ３に挿入し、コンピュータの電源スイッチ６を入れる。暫くすると画像表示用液晶モニター５から、編集ソフトウェア１によりプログラムされた宣伝内容が表示される。内容の変更は、任意の汎用コンピュータ上にインストールされた編集ソフトウェア１を使用することにより、容易に行うことが可能である。
【考案の効果】
【０００６】汎用コンピュータを再利用するので、液晶電子看板を安い費用で設置することが可能になる。また、汎用コンピュータを使用して表示する画像や図形、文字をマイクロソフト社Ｗｉｎｄｏｗｓ標準ソフトアプリケーション操作に準拠した編集ソフトウェアで作成できるので、熟練度を必要とせず、画像や図形、文字の変更が自由に且つ安価に行える。
【図面の簡単な説明】１．編集ソフトウェア
２．ＣＤ−ＲＯＭ
３．ＣＤ−ＲＯＭドライブ
４．ＣＤ−ＲＯＭドライブ稼動式汎用コンピュータ
５．液晶表示モニター
６．電源スイッチ
【図１】
0003117185.tif 000003
【手続補正書】
【提出日】平成17年9月20日(2005.9.20)
【手続補正１】
【補正対象書類名】明細書
【補正対象項目名】全文
【補正方法】変更
【補正の内容】
【考案の詳細な説明】
【技術分野】
【０００１】従来の電子看板は、専用のハードウェアを使用し色付き文字や図形を表示させていたが、ＣＤ−ＲＯＭ一枚で稼動する汎用コンピュータを使用した電子看板は存在しなかった。
【背景技術】
【０００２】専用ハードウェアを使用する従来の電子看板では、大量生産に向かず、自ら製造コストが嵩むという欠点がある。【０００３】従来の電子看板の表示内容を変更する場合は、ハードウェアによる制限を受けるので、文字一つ変更を変更しようとする場合でも、ハードウェアを変更しなければならない場合がほとんどである。
【考案の開示】
【考案の実施するための最良の形態】
【０００４】本考案は、ＣＤ−ＲＯＭドライブ稼動式汎用コンピュータのＣＤ−ＲＯＭドライブに、オペレーテングシステム及び別の汎用コンピュータにインストールされた汎用ソフトで作成したデータが入ったＣＤ−ＲＯＭを挿入し、電源を入れるだけで汎用コンピュータを液晶電子看板として使用可能とすることを特徴としている。
【実施例】
【０００５】図１は、ＣＤ−ＲＯＭドライブ稼動式汎用コンピュータを用いた液晶電子看板の実施例である。別の汎用コンピュータにインストールされた編集ソフトウェア１を使用して画像データや図形、文字データを作成し、オペレーテングシステムが入ったＣＤ−ＲＯＭ２にコピーする。そのＣＤ−ＲＯＭ２をＣＤ−ＲＯＭドライブ稼動式汎用コンピュータ４のＣＤ−ＲＯＭドライブ３に挿入し、コンピュータの電源スイッチ６を入れる。暫くすると画像表示用液晶モニター５から、編集ソフトウェア１によりプログラムされた宣伝内容が表示される。内容の変更は、任意の汎用コンピュータ上にインストールされた編集ソフトウェア１を使用することにより、容易に行うことが可能である。
【考案の効果】
【０００６】汎用コンピュータを再利用するので、液晶電子看板を安い費用で設置することが可能になる。また、汎用コンピュータを使用して表示する画像や図形、文字をマイクロソフト社Ｗｉｎｄｏｗｓ標準ソフトアプリケーション操作に準拠した編集ソフトウェアで作成できるので、熟練度を必要とせず、画像や図形、文字の変更が自由に且つ安価に行える。
【図面の簡単な説明】
【図１】平面図  ＣＤ−ＲＯＭドライブ稼動式汎用コンピュータを用いた液晶看板の構成と各符号の機能の説明。
【符号の説明】
１．編集ソフトウェア
２．ＣＤ−ＲＯＭ
３．ＣＤ−ＲＯＭドライブ
４．ＣＤ−ＲＯＭドライブ稼動式汎用コンピュータ
５．液晶表示モニター
６．電源スイッチ
(57)【要約】【課題】複数のペンキ槽を備えて一体をなしたカートリッジと、蓋を備えてその上部に荷崩れ防止装置を設けた手提げ缶を提供する。【解決の手段】カートリッヂ１を、ペンキ槽の繋ぎ部５で繋ぎ、複数のペンキ槽を備えて一体をなした事を特徴とするカートリッヂと、荷崩れ防止装置１０を設けた蓋を備えた手提げ缶である。【選択図】  図１
0003117189.tif 000002
【実用新案登録請求の範囲】
【請求項１】
複数のペンキ槽を備えたカートリッヂ
【請求項２】
飛散防止装置を備えたカートリッヂ
【請求項３】
槽間にスリットを設けたカートリッヂ
【請求項４】
蓋を備えこれに荷崩れ防止装置を設けた手提げ缶
【考案の詳細な説明】
【技術分野】
【０００１】  本考案はペンキ槽の複合体をなして一体としたカートリッヂで、一個の手提げ缶に数種類の色のペンキを入れて、それを一度に持ち歩いて作業が出来るようにしたものと、蓋を備えた手提げ缶に関するものである。
【背景技術】
【０００２】  従来のカートリッヂは一槽式である。【０００３】  従来の手提げ缶には蓋が備わっていないのである。
【考案の開示】
【考案が解決しようとする課題】
【０００４】  これには次のような問題点があった。【０００５】  従来の一槽式のカートリッヂでは、一色で手提げ缶一個を占有し、塗装作業の仕上げの段階では、複数の色のペンキを必要とし、一度に複数の手提げ缶を持ち歩いて作業を行うことは不可能であり、数度にわたって運ばなければならず、無駄な時間と労力を使っていた。【０００６】  また、高いところでの作業では、複数の手提げ缶を持ち歩くことは、非常に危険であった。【０００７】  更には、手提げ缶に蓋が無いため、ペンキが空気にさらされて乾燥し無駄に捨てられていた。
本考案は、以上のような欠点をなくするために、なされたものである。
【課題を解決するための手段】
【０００８】  複数のペンキ槽を備えたカートリッヂ【０００９】  飛散防止装置を備えたカートリッヂ【００１０】  槽間にスリットを設けたカートリッヂ【００１１】  蓋を備え、これに荷崩れ防止装置を設けた手提げ缶
以上の構成からなるカートリッヂと手提げ缶
【考案の効果】
【００１２】  塗装作業において、本考案のカートリッヂを手提げ缶に装着することによって、手提げ缶一個に当日使う色のペンキをそれぞれ入れ、一度に持ち歩いて作業が出来るようになった。【００１３】  本考案のカートリッヂを手提げ缶に装着することによって、手提げ缶の内部にペンキが付着して汚れることも防ぐ事が出来た。【００１４】  手提げ缶に蓋を備え、その上部に荷崩れ防止装置を設けた事によって積み重ね整理が出来、場所を取らなくなったので、運搬車両の小型化が図られた。【００１５】  手提げ缶に蓋を備えた事によって、カートリッヂ内のペンキの乾燥が押さえられ、無駄に捨てられることが無くなり、経済効果をもたらした。
【考案を実施するための最良の形態】
【００１６】  以下、考案を実施するための最良の形態について説明する。
（図１）は本考案のカートリッヂの正面斜視図である。
（図２）は本考案の蓋とカートリッヂを装着した、手提げ缶の正面断面図である。
（図３）は本考案の蓋を取り除いた平面図である【００１７】  （図１）の１はカートリッヂである。【００１８】  （図２）の２は手提げ缶である、この中にカートリッヂを装着し、更にその中にペンキを入れて持ち運ぶものである。【００１９】  （図１）の３はペンキ槽である、この中に使う色別のペンキを貯留するのである。【００２０】  （図１）の４はスリットである、ペンキ槽と槽の間に隙間を形成し、重ね合わせて嵩張る事を小さくするためのものである。【００２１】  （図１）の５はペンキ槽の繋ぎ部である、複数のペンキ槽を繋ぎ合わせて一体のカートリッヂを形成させるためのものである。【００２２】  （図２）の６は手提げ缶吊手取り付け用突起である。【００２３】  （図１）の７は飛散防止装置である、ペンキ本缶からペンキ槽にペンキを注ぐ際、跳ねて他のペンキ槽に入ることを防止するためのものである。【００２４】  （図１）の８はペンキ槽の鍔である、手提げ缶に装着した際、複数のペンキ槽を繋ぎ合せて一体となすカートリッヂを安定させ、且つ、手提げ缶の淵にペンキが付着することを防ぐ役割を果たすためのものである。【００２５】  （図２）の９は手提げ缶の蓋である、カートリッヂの中のペンキや刷毛を乾燥から守る役割を、果たすものである。【００２６】  （図２）の１０は荷崩れ防止装置である、蓋の上部に設けて手提げ缶を積み重ねた際、荷崩れを防ぐためのものである。
【図面の簡単な説明】
【００２７】
【図１】本案のカートリッヂの正面斜視図である。
【図２】本案の蓋とカートリッヂを装着した、手提げ缶の正面断面図である。
【図３】本案の蓋を取り除いた平面図である。
【符号の説明】
【００２８】  １  カートリッヂ
２  手提げ缶
３  ペンキ槽
４  スリット
５  ペンキ槽の繋ぎ部
６  手提げ缶吊手取り付け用突起
７  飛散防止装置
８  ペンキ槽の鍔
９  手提げ缶の蓋
１０  荷崩れ防止装置
【図１】
0003117189.tif 000003
【図２】
0003117189.tif 000004
【図３】
0003117189.tif 000005
【手続補正書】
【提出日】平成17年9月16日(2005.9.16)
【手続補正１】
【補正対象書類名】実用新案登録請求の範囲
【補正対象項目名】全文
【補正方法】変更
【補正の内容】
【実用新案登録請求の範囲】
【請求項１】
複数のペンキ槽を備えたカートリッヂ
【請求項２】
飛散防止装置を備えたことを特徴とする請求項１記載のカートリッヂ
【請求項３】
槽間にスリットを設けた請求項１又は請求項２記載のカートリッヂ
【請求項４】
蓋を備えこれに荷崩れ防止装置を設けた請求項１及び請求項２並びに請求項３記載のカートリッヂを備えた手提げ缶
(57)【要約】【課題】  一般家庭において天井や壁が堅ろうでない室内に仏壇を置いてる場合地震による転倒や落下を防止し被害を少なくする。【解決手段】  天井や壁から突っ張りや固定出来ない場合マジックテープの引っ張り強度を利用し幅３ｃｍの布ベルト８を仏壇の左側面４、天板５、右側面６、と張り付一体化し布ベルトの両端を床面に固定して転倒及び分解落下事故を防止する。【選択図】  図１
0003117182.tif 000002
【実用新案登録請求の範囲】
【請求項１】
屋内設置物の地震による転倒を防止する器具
【請求項２】
室内に設置されている佛壇、及び家具やその他の対象物をマジックテープの引っ張り強度を利用し、布ベルトを対象物に回し両端を床面に固定することにより分解、落下、転倒を防止する。
【考案の詳細な説明】
【技術分野】
【０００１】本考案は地震災害による家具及び佛壇の転倒器具防止
【背景技術】
【０００２】近年地震発生の確率が高く、建築リフォーム業者として耐震工事の相談が多い。建物の補強工事は工法も金物も市販されているが転倒防止器具は対応出来るものが少ない。
【考案の開示】
【考案が解決しようとする課題】
【０００３】佛壇のなかで高さのあるものは木製ダボで積み重ねているので地震により転倒や落下の恐れがある。突っ張り方式の防止器具や背面の壁より繋ぎ止める器具は市販されてが、天井、壁も堅ろうであれば突っ張りや固定は可能。木造戸建住宅は構造上突っ張りや固定は不可能。又佛壇の場合は天井から突っ張ることは嫌われ他の方法で固定することが課題となった。
【課題を解決するための手段】
【０００４】複数のマジックテープ７をつけ佛壇の連結部分を避けて左側面４、天板５、右側面６の奥行き９中心部に張る。マジックテープを縫製付けした布ベルト８を張り合わせ床面に固定したアイプレート９にバックル１０で固定する。マジックテープの引張り強度により佛壇は一体化し上段部分３の落下や転倒防止をする。
【考案の効果】
【０００５】従来の取り付け不可能であった一戸建住宅や天板に器具を取り付けることを嫌う佛壇の転倒災害が防止できる
【考案を実施するための最良の形態】
【０００６】
【実施例】
【０００７】
【産業上の利用可能性】
【０００８】
【図面の簡単な説明】
【０００９】
【図１】  布ベルト取り付け完成図
【図２】  マジックテープ７取り付け要領
【図３】  アイプレート９取り付け要領
【図４】  布ベルト８取り付け要領
【符号の説明】
【０００１０】  １佛壇下段部
２佛壇中段部
３佛壇上段部
４左側面
５天板
６右側面
７マジックテープ
８布ベルト
９アイプレート
【図１】
0003117182.tif 000003
【図２】
0003117182.tif 000004
【図３】
0003117182.tif 000005
【図４】
0003117182.tif 000006
【手続補正書】
【提出日】平成17年9月2日(2005.9.2)
【手続補正１】
【補正対象書類名】実用新案登録請求の範囲
【補正対象項目名】全文
【補正方法】変更
【補正の内容】
【実用新案登録請求の範囲】
【請求項１】
対象物家具及び佛壇に面ファスナーを両面テープで部分的に張りつけ布テープの片面に面ファスナーを縫製付けしたものを密着させ両端を床面に金物で固定し面ファスナーの引っ張り強度を利用した転倒防止器具
(57)【要約】      （修正有）【課題】物品をボルト、ナットで締付ける場合、ボルトがともまわりするのを防止する。【解決手段】ボルトの頭部（六角部）小さなピンを付ける。【選択図】図１
0003117181.tif 000002
【実用新案登録請求の範囲】
【請求項１】
色々な分野で使用されている、ボルト、ナットを締付ける場合、ボルト、ナット両方にレンチ（工具）で締めないとボルトがともまわり、しますそれと狭い場所ではナット部しか使用出来ない事もあります、これを解消するのがスーパーボルトです、ボルトのアタマ（六角部）に小さなピンを４ケ所取付けるだけで、ナットの方だけで作業できます、ともまわりも、しません、これがスーパーボルト（仮称）です。締付の強度も数パーセント上がります。
【考案の詳細な説明】
【技術分野】
【０００１】本考案は、色々な分野で使用される、ボルトに関する。
【背景技術】
【０００２】今までのボルト、ナットで物品を取付ける場合、ボルトがともまわりするので、ボルト、ナット共工具を使用して締付けしなくてはならなかった。
【考案の開示】
【考案が解決しようとする課題】
【０００３】しかも狭い場所や、工具が一方しか入らない場合大変苦労するし時間もかかる。
【課題を解決するための手段】
【０００４】  そこでボルトの頭（六角部分）の下に小さなピンを取付ける事でナット部分だけで一人でも作業が出来るしボルト、ナットで締付ける物品も強度上がる。
【図面の簡単な説明】
【０００５】
【図１】ボルトの側面図
【図２】ボルトの下方からの図
【符号の説明】
【０００６】１  ボルトの大きさによってピンの長さを  ０．５〜２ｍｍ
２  ピンを４ケ所取付ける
【図１】
0003117181.tif 000003
【図２】
0003117181.tif 000004
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
色々な分野で使用されているボルトをナットで締付ける場合ボルト及びナット両方に工具とレンチで締めないとボルトがともまわりして苦労します、それと狭い場所ではどちらか片方しか工具が使用出来ない時もあります、これを解決するのがスーパーボルトです、ボルトの六角部下部に小さなピンを４ケ所付けるだけでナット部だけで作業、工事が出来ますボルトもともまわりしません、取外しする時も片方だけで作業出来るので工事のスピードアップにつながりますこれがスーパーボルトです。
(57)【要約】      （修正有）【課題】不規則、不安定な動きをしながらも、低速、高速でも糸よれの原因となる回転を極力抑える。【解決手段】先端１から中央部分２，３にかけて平らな面と中央部分２，３から後部４にかけ折れながらの絞込みを儲け、また左右５，６のアンバランスにより不規則な動きをあみ出すことで考案のスプーンは、高速でもスプーンの回転を抑え、糸よれの原因を防ぎ、小魚により近い不規則、不安定な動きをだす。【選択図】図１
0003117183.tif 000002
【実用新案登録請求の範囲】
この実用新案はルアー釣り用の魚を釣る際に使用する為のスプーンである。
【考案の詳細な説明】
【考案の詳細な説明】
この実用新案はルアー釣り用の魚を釣る際に使用する為のスプーンである。
従来は、スプーンに不規則な動きをさせると、低速では理想の動きをしていても、高速になるとスプーンそのものの回転が始まり、大きな糸よれの原因になっていた。本考案は、不規則、不安定な動きをしながらも、低速、高速でも糸よれの原因となる回転を極力抑えることができた形である。また、この不安定、不規則な動きは、魚を釣る点においては、必要不可欠なものである。なぜなら本来、小魚の動きは不規則、不安定な動きをするのに対し、従来スプーンは同じ動きを続け、魚がその動きになれて食いが悪くなっていた。その為、新たな動きをだす形を見出したものである。
それを図面について説明すれば、先端１から中央部分２、３にかけて平らな面を持ち中央部分２、３から後部４にかけ折れながら絞込み、
また左右５，６のアンバランスにより、不規則な動きをあみだすことができたスプーンです。この不規則な動きをある程度の安定に落ち着けたことが、より多くの魚にアピールすることができたことが、このスプーンの特徴です。
【図面の簡単な説明】
【図１】は、本考案の拡大図である。  １は、先端部  ２、３は、中央部  ４は、後部  ５、６は、中央部２、３から後部４にかけての左右の絞込み部
【図１】
0003117183.tif 000003
【手続補正書】
【提出日】平成17年9月8日(2005.9.8)
【手続補正１】
【補正対象書類名】実用新案登録請求の範囲
【補正対象項目名】全文
【補正方法】変更
【補正の内容】
【実用新案登録請求の範囲】
【請求項１】
平らな面と、左右の折れながらの絞込み部に、アンバランスな形状を有するスプーン。
(57)【要約】      （修正有）【課題】外気を内部に確実に送り込み、むれを低減する靴を提供する。【解決手段】靴１．の内部爪先部に通気ポンプ７を設けポンプの下端から靴１上部の外気取り入れ口３まで吸気ホース８を設けてポンプ７の上端から吹き出し口５まで吹き出しホース６を設けた事でこの課題を解決する。【選択図】図３
0003117184.tif 000002
【実用新案登録請求の範囲】
【請求項１】
本体の内部に通気ポンプを設け、そのポンプの両端にホースを設けた靴
【考案の詳細な説明】
【技術分野】
【０００１】本考案は靴に関し特に仕事・スポーツに用いて好適な靴に関するものです。
【背景技術】
【０００２】従来の靴は、爪先の通気が悪くむれていた。
【考案の開示】
【考案が解決しようとする課題】
【０００３】本考案は、確実に爪先に外気を送り、むれを低減させる目的とする。
【課題を解決するための手段】
【０００４】  本体内部爪先部に通気ポンプを設け、そのポンプの両端にホースを設け、一端のホースは外気取り入れ口に、もう一端のホースは、爪先吹き出し口につなぐ事で通気の流路ができる。本考案は以上のような構成よりなる。
【考案の効果】
【０００５】内部爪先に外気を確実に送入するので、むれの低減になる。
【考案を実施するための最良の形態】
【０００６】以下本考案の実施の形態を、図面に示す実施例に基ずいて説明する。
図１は、本考案に係る靴の側面図である。    図２は、その平面図
図３は、図２のＡ−Ａ′線断面図である。
【実施例】
【０００７】  まず本考案に係る靴の全体の主な構成は、図３に示すように本体１と本底２中敷４と通気ポンプ７と吸気ホース８吹き出しホース６とからなっている。
内部爪先下に通気ポンプを設けそのポンプ７を足で踏むことによりポンプ７の空気は吹き出し口５より指爪へ吹出す、この時ポンプ吸気弁８ａは閉じている。足を浮かす事によりポンプ７は、元の形状に戻る素材と構造であるから外気取り入れ口３より外気がポンプ７に入る、この時ポンプ吹き出し弁６ａは閉じている。
普通に歩く行動により、通気ポンプは作動して外気を取り入れ内部先端に送り込む。
【符号の説明】
１    靴本体                  ６    吹き出しホース
２    本  底                  ７    通気ポンプ
３    外気取り入れ口          ８    吸気ホース
４    中  敷                  ６ａ  ポンプ吹き出し弁
５    吹き出し口              ８ａ  ポンプ吸気弁
【図１】
0003117184.tif 000003
【図２】
0003117184.tif 000004
【図３】
0003117184.tif 000005
【手続補正書】
【提出日】平成17年9月14日(2005.9.14)
【手続補正１】
【補正対象書類名】明細書
【補正対象項目名】全文
【補正方法】変更
【補正の内容】
【考案の詳細な説明】
【技術分野】
【０００１】本考案は靴に関し特に仕事・スポーツに用いて好適な靴に関するものである。
【背景技術】
【０００２】従来の靴は、爪先の通気が悪くむれていた。
【考案の開示】
【考案が解決しようとする課題】
【０００３】本考案は、確実に爪先に外気を送り、むれを低減させる目的とする。
【課題を解決するための手段】
【０００４】  本体内部爪先部に通気ポンプを設け、そのポンプの両端にホースを設け、一端のホースは外気取り入れ口に、もう一端のホースは、爪先吹き出し口につなぐ事で通気の流路ができる。本考案は以上のような構成よりなる。
【考案の効果】
【０００５】内部爪先に外気を確実に送入するので、むれの低減になる。
【考案を実施するための最良の形態】
【０００６】  本考案に係る靴１は図３に示すように外気を取り入れる、通気ポンプ７を備えている。そしてこのポンプ７の両端には、吸気ホース８と吹き出しホース６が備えている。この吸気ホース８は、外気取り入れ口３に吹き出しホース６が、吹き出し口５に当接し設置される。ポンプ７の大きさは、靴のサイズと本底の厚みに応じて決めればよい。ホースの穴は、空気の通りやすい大きさで楕円がよい。
【実施例】
【０００７】  まず本考案に係る靴の全体の主な構成は、図３に示すように本体１と本底２中敷４と通気ポンプ７と吸気ホース８吹き出しホース６とからなっている。
内部爪先下に通気ポンプを設けそのポンプ７を足で踏むことによりポンプ７の空気は吹き出し口５より指爪へ吹出す、この時ポンプ吸気弁８ａは閉じている。足を浮かす事によりポンプ７は、元の形状に戻る素材と構造であるから外気取り入れ口３より外気がポンプ７に入る、この時ポンプ吹き出し弁６ａは閉じている。
普通に歩く行動により、通気ポンプは作動して外気を取り入れ内部先端に送り込む。
【図面の簡単な説明】
【図１】  本考案に係る靴の側面図である。
【図２】  その平図面である。
【図３】  図２のＡ−Ａ’線断面図である。
【符号の説明】
１  靴  本  体                  ６  吹き出しホース
２  本      底                  ７  通気ポンプ
３  外気取り入れ口              ８  吸気ホース
４  中      敷                  ６ａポンプ吹き出し弁
５  吹き出し口                  ８ａポンプ吸気弁
(57)【要約】【課題】構造が簡単であり、気密性が良く、荒い表面を持つ大型のワークをしっかりと吸着することが可能な吸盤用吸着体の構造を保持する。【解決手段】吸盤メインボディー１と、空間部１０と、固定板２と、操作レバー３と、押圧柄４と、吸着体５とを備え、吸着体５のメインボディーの周縁５０に下へ延在した環状端縁５１が設けてあり、吸着体５の内縁がダブルレヤー式を呈する。【選択図】図５
0003117158.tif 000002
【実用新案登録請求の範囲】
【請求項１】
吸盤メインボディーと、空間部と、固定板と、操作レバーと、押圧柄と、吸着体とを備え、
前記吸着体のメインボディーの周縁に下へ延在した環状端縁が設けられてあり、
吸着体の内縁がダブルレヤー式を呈することを特徴とする吸盤用吸着体の構造。
【請求項２】
前記吸着体は任意のタイプの吸盤に取付け可能であることを特徴とする請求項１に記載の吸盤用吸着体の構造。
【考案の詳細な説明】
【技術分野】
【０００１】
本考案は、吸盤用吸着体の構造に係り、特に、吸盤の底部の吸着体をダブルレヤー式にすることにより、荒い面を持つワークを吸着して移動可能になる吸盤用吸着体の構造に関する。
【背景技術】
【０００２】
吸盤は、タイルやガラスやフラット状のワークを吸着して移動するための不可欠の工具であるが、目下、市販している吸盤の底部の吸着体の構造は、シングルレヤー式でフラット状を呈するので、気密性がやや不足であり、したがって、ガラスやタイルなどのフラット状のワークだけを吸着することが可能であったが、荒い面を持つ大型のワーク（例えば花崗岩などの石素材）に適用可能な吸盤は、図１に示すように、例えば環状フォーム体吸盤が提案され、それは、メインボディー１Ａの底部の吸着体５Ａに環状フォーム体６Ａを粘着し、前記環状フォーム体６Ａは、シリコン系またはゴム系素材で作製されたものであり、粘着剤または両面粘着テープ７Ａにより吸着体５Ａの吸着面に粘着され、前記環状フォーム体６Ａをワーク面に押圧すると、環状フォーム体６Ａに囲まれる吸盤内部空間が真空状態になり、大型のワーク（例えば花崗岩などの石素材）の表面にしっかりと吸着することができる。
【考案の開示】
【考案が解決しようとする課題】
【０００３】
しかしながら、これは次のような欠点があった。
（イ）工事現場で施工するときに、吸着体の粘着剤または両面粘着テープに水分が滲入すると、粘着力がなくなり、環状フォーム体が脱落し易くなる。
（ロ）天候の変化による温度変動により、粘着剤が酸化されるので、環状フォーム体が脱落し易くなる。
（ハ）吸盤は重いワークを経常に吸着して移動するので、粘着箇所が剥離し易くなり、環状フォーム体が脱落し易くなる。
【課題を解決するための手段】
【０００４】
上記欠点を解決するためになされた本考案は、吸盤メインボディーと、空間部と、固定板と、操作レバーと、押圧柄と、吸着体とを備える吸盤用吸着体の構造において、前記吸着体のメインボディーの周縁に下へ延在した環状端縁が設けてあり、吸着体の内縁がダブルレヤー式を呈することを特徴とする吸盤用吸着体の構造であることを要旨としている。
さらに、前記吸着体は任意のタイプの吸盤に取付けることが可能であることを要旨としている。
（考案の効果）
本考案に係る吸盤用吸着体の構造によれば、次のような効果がある。
（イ）吸着体はダブルレヤー式なので、構造が簡単であり、気密性が良く、荒い表面を持つ大型のワークをしっかりと吸着することができる。
（ロ）粘着式の環状フォーム体のような施工の不便がないので、施工の効率が向上する。
（ハ）組付けは容易であり、任意のタイプの吸盤に取付けることが可能である。
【考案を実施するための最良の形態】
【０００５】
以下、添付図面を参照して本考案の好適な実施の形態を詳細に説明する。
まず、図２から図５を参照する。図２は本考案の一実施例に係る斜視図であり、図３は本考案の一実施例に係る吸着体の下面斜視図であり、図４は本考案の一実施例に係る吸着体の正面断面図であり、図５は本考案の一実施例に係る断面図である。本考案の一実施例に係る吸盤用吸着体の構造は、吸盤メインボディー１と、空間部１０と、固定板２と、操作レバー３と、押圧柄４と、吸着体５とを備え、吸着体５のメインボディーの周縁５０に下へ延在した環状端縁５１が設けてあり、吸着体５の内縁がダブルレヤー式を呈する。
また、図６と図７を参照し、図６は本考案の一実施例の吸盤用吸着体が壁などに吸着したときの動作を示す断面図であり、図７は本考案の一実施例の吸盤用吸着体が壁などに吸着していないときの動作を示す断面図である。本実施例の吸盤用吸着体をワークに吸着しようとするときには、押圧柄４を押圧して、操作レバー３が吸着体５の頂部を引き上げ、このとき、吸着体５の内部の空気が排出され、吸盤メインボディー１の内部空間が真空状態になり、このとき、吸着体５は、周縁５０の底端と、外側へ搾り出された環状端縁５１の底端とにより、ワーク面６にしっかりと吸着し、気密性が極めて良い結合状態になり、図６に示すように、外部の空気が吸盤メインボディー１の内部空間に進入できなくなり、逆に、本実施例の吸盤用吸着体をワークに吸着しなくする場合には、押圧柄４を引き上げて、図７に示すように、外側へ搾り出された環状端縁５１が内側へ後退し、これにより、本実施例の吸盤用吸着体はワーク面６に吸着しない状態になる。
【図面の簡単な説明】
【０００６】
【図１】従来の吸盤の組み合わせ状態を示す断面図である。
【図２】本考案の一実施例に係る吸盤用吸着体の斜視図である。
【図３】本考案の一実施例に係る吸盤用吸着体の下面斜視図である。
【図４】本考案の一実施例に係る吸盤用吸着体の正面断面図である。
【図５】本考案の一実施例に係る吸盤用吸着体の断面図である。
【図６】本考案の一実施例の吸盤用吸着体が壁などに吸着したときの動作を示す断面図である。
【図７】本考案の一実施例吸盤用吸着体が壁などに吸着していないときの動作を示す断面図である。
【符号の説明】
【０００７】
１  吸盤メインボディー、１０  空間部、２  固定板、３  操作レバー、４  押圧柄、５  吸着体、５０  周縁、５１  環状端縁、６  ワーク面
【図１】
0003117158.tif 000003
【図２】
0003117158.tif 000004
【図３】
0003117158.tif 000005
【図４】
0003117158.tif 000006
【図５】
0003117158.tif 000007
【図６】
0003117158.tif 000008
【図７】
0003117158.tif 000009